(57)【要約】【課題】バックアップした画像を閲覧する際の利便性を確保しながら、その画像に閲覧制限をかけることが可能な画像データ記録方法を提供する。【解決手段】記録メディアＭに画像データを記録する画像データ記録方法であって、記録メディアＭに記録すべき画像データのうち、公開すべき画像データとして選択された公開画像データを除く画像データである非公開画像データを暗号化するステップ（Ｓ８）と、公開画像データを動画再生可能な機器で再生できる形式の動画像データを、該公開画像データを用いて生成するステップ（Ｓ１０）と、公開画像データ、暗号化された非公開画像データ、及び動画像データを記録メディアＭに記録させるステップ（Ｓ１２）とを含む。【選択図】図２
2006277881.tif 000002
【特許請求の範囲】
【請求項１】
記録媒体に画像データを記録する画像データ記録方法であって、
前記記録媒体に記録すべき画像データのうち、公開すべき画像データとして選択された公開画像データを除く画像データである非公開画像データを暗号化するステップと、
前記公開画像データを用いて、前記公開画像データを動画再生可能な機器で再生することのできる形式の動画像データを生成するステップと、
前記公開画像データ、前記暗号化された非公開画像データ、及び前記動画像データを前記記録媒体に記録させるステップとを含む画像データ記録方法。
【請求項２】
請求項１記載の画像データ記録方法であって、
前記動画像データは、前記公開画像データをスライドショーで再生する形式である画像データ記録方法。
【請求項３】
コンピュータに、請求項１又は２記載の画像データ記録方法の各ステップを実行させるための画像データ記録プログラム。
【請求項４】
記録媒体に画像データを記録する画像データ記録装置であって、
前記画像データを入力するための入力インターフェースと、
前記記録媒体用のドライブと、
前記記録媒体に記録すべき画像データのうち、公開すべき画像データとして選択された公開画像データを除く画像データである非公開画像データを暗号化する暗号化手段と、
前記公開画像データを用いて、前記公開画像データを動画再生可能な機器で再生することのできる形式の動画像データを生成する動画像データ生成手段と、
前記ドライブを制御して、前記公開画像データ、前記暗号化された非公開画像データ、及び前記動画像データを前記記録媒体に記録させる記録制御手段とを含む画像データ記録装置。
【請求項５】
請求項４記載の画像データ記録装置であって、
前記動画像データは、前記公開画像データをスライドショーで再生する形式である画像データ記録装置。
【発明の詳細な説明】
【技術分野】
【０００１】
本発明は、記録媒体に画像データを記録する画像データ記録方法に関する。
【背景技術】
【０００２】
メモリカードを記録メディアとするデジタルカメラの普及により、メモリカードに記録されたデジタルカメラの撮影画像データをパーソナルコンピュータ（ＰＣ）内のハードディスクにコピーして蓄積するといったことが行われている。メモリカードはデータの消去及び再記録が可能なため、ＰＣにデータをコピーした後、メモリカード内のデータを消去して再度撮影に使うことができる。こうしてＰＣ内のハードディスクに撮影画像データが蓄積されるようになったため、ハードディスクの故障等に備えてバックアップを作成しておきたいという要望が出てきており、現時点では、ＣＤ−ＲやＤＶＤ−Ｒ等の大容量の記録メディアに撮影画像データをバックアップするといったことが主に行われている。
【０００３】
特許文献１には、複数の静止画像データをＤＶＤのデータ領域に記録すると共に、ＤＶＤビデオ規格として再生されるビデオ領域に、当該複数の静止画像データに基づく画像をスライドショーで表示するための動画像データを記録しておく方法が開示されている。この方法によれば、コンピュータを持っていないユーザであっても、ＤＶＤプレーヤ等でスライドショーを表示させて画像の内容を確認することができ、バックアップ後の記録メディアの利便性を向上させることができる。
【０００４】
【特許文献１】特開２００３−１２３３９３号公報
【発明の開示】
【発明が解決しようとする課題】
【０００５】
特許文献１記載の方法で静止画像データを記録したＤＶＤを、多数のユーザで回覧するような場合を考える。この場合、コンピュータを持っていないユーザであっても、画像を確認することができるため利便性は高いが、ＤＶＤの持ち主は、そのＤＶＤに記録されている全ての画像を他者に見られてしまうことになる。しかし、ＤＶＤに記録されている特定の画像は他者に見せたくないという要望も存在する。例えば、あるイベントで撮影した２００枚の静止画像データがあり、このうち１５０枚はプライベートな内容であるため他者に公開したくないが、残り５０枚は内容を伝えるために他者に公開したいといった場合である。この場合、上記方法では、公開したくない１５０枚の静止画像データと、その静止画像データから生成された動画像データを記録したＤＶＤと、公開したい５０枚の静止画像データと、その静止画像データから生成された動画像データを記録したＤＶＤの２枚のＤＶＤを作成する必要があり、バックアップにかかるコストが増加すると共に、記録メディアが２枚になるため、その後のデータ管理が面倒である。
【０００６】
本発明は、上記事情に鑑みてなされたものであり、バックアップした画像を閲覧する際の利便性を確保しながら、その画像に閲覧制限をかけることが可能な画像データ記録方法を提供することを目的とする。
【課題を解決するための手段】
【０００７】
本発明の画像データ記録方法は、記録媒体に画像データを記録する画像データ記録方法であって、前記記録媒体に記録すべき画像データのうち、公開すべき画像データとして選択された公開画像データを除く画像データである非公開画像データを暗号化するステップと、前記公開画像データを用いて、前記公開画像データを動画再生可能な機器で再生することのできる形式の動画像データを生成するステップと、前記公開画像データ、前記暗号化された非公開画像データ、及び前記動画像データを前記記録媒体に記録させるステップとを含む。
【０００８】
この方法によれば、バックアップした画像を閲覧する際の利便性を確保しながら、その画像に閲覧制限をかけることが可能となる。
【０００９】
本発明の画像データ記録方法は、前記動画像データが前記公開画像データをスライドショーで再生する形式である。
【００１０】
本発明の画像データ記録プログラムは、コンピュータに前記画像データ記録方法の各ステップを実行させるためのプログラムである。
【００１１】
本発明の画像データ記録装置は、記録媒体に画像データを記録する画像データ記録装置であって、前記画像データを入力するための入力インターフェースと、前記記録媒体用のドライブと、前記記録媒体に記録すべき画像データのうち、公開すべき画像データとして選択された公開画像データを除く画像データである非公開画像データを暗号化する暗号化手段と、前記公開画像データを用いて、前記公開画像データを動画再生可能な機器で再生することのできる形式の動画像データを生成する動画像データ生成手段と、前記ドライブを制御して、前記公開画像データ、前記暗号化された非公開画像データ、及び前記動画像データを前記記録媒体に記録させる記録制御手段とを含む。
【００１２】
本発明の画像データ記録方法は、前記動画像データが前記公開画像データをスライドショーで再生する形式である。
【発明の効果】
【００１３】
本発明によれば、バックアップした画像を閲覧する際の利便性を確保しながら、その画像に閲覧制限をかけることが可能な画像データ記録方法を提供することができる。
【発明を実施するための最良の形態】
【００１４】
以下、本発明の実施形態について図面を参照して説明する。
【００１５】
図１は、本発明の実施形態を説明するための画像データ記録システムの概略構成を示す図である。
図１に示す画像データ記録システムは、画像データ記録装置１００と、画像データ記録装置１００に接続されたキーボードやマウス等の入力装置２００と、画像データ記録装置１００に接続された表示装置３００とを備える。
【００１６】
画像データ記録装置１００は、例えばユーザの所有するＰＣであり、ＲＡＭ１と、ＲＯＭ２と、制御部３（特許請求の範囲の暗号化手段、動画像データ生成手段、記録制御手段に該当）と、メディアドライブ４（特許請求の範囲のドライブに該当）と、記録部５とを備える。
【００１７】
制御部３は、本発明の画像データ記録プログラムを含むプログラムによって動作するプロセッサを主体に構成され、画像データ記録装置１００全体を統括制御する。ＲＡＭ１は、制御部３のワークメモリである。ＲＯＭ２は、制御部３が実行するプログラム等を記憶する。メディアドライブ４は、ＣＤ−Ｒ，ＤＶＤ−Ｒ等の記録メディアＭにデータを記録するためのものである。記録部５は、各種データを記録するものであり、例えばハートディスク装置である。記録部５には、デジタルカメラ等によって撮影して得られた多数の静止画像データを含む画像フォルダが複数記録されているものとする。
【００１８】
次に、画像データ記録プログラムを実行した制御部３の動作について図面を参照して説明する。
図２は、画像データ記録プログラムを実行した制御部の動作フローを示す図である。
ユーザがマウス操作を行って画像データ記録プログラムを起動させると、制御部３は、図３（ａ）に示すように、記録部５に記録されている複数の画像フォルダの一覧画面を表示装置３００に表示させる。図３（ａ）に示す画面には、４つの画像フォルダＡ〜Ｄが表示されている。ユーザにより、バックアップをとりたい静止画像データが入っている画像フォルダ（ここでは画像フォルダＡとする）が選択されると（Ｓ１）、制御部３は、図３（ｂ）に示すように、画像フォルダＡに含まれる静止画像データに基づく画像ａ１〜ａ５の一覧画面を表示させる。図３（ｂ）に示した画像ａ１の生成元の画像データ名をａ１．ｊｐｇ、画像ａ２の生成元の画像データ名をａ２．ｊｐｇ、画像ａ３の生成元の画像データ名をａ３．ｊｐｇ、画像ａ４の生成元の画像データ名をａ４．ｊｐｇ、画像ａ５の生成元の画像データ名をａ５．ｊｐｇとする。
【００１９】
その後、ユーザは、図３（ｂ）に示す画面上で、画像フォルダＡに含まれる静止画像データの中から、他者に公開したい静止画像データである公開画像データを選択する。本実施形態では、公開したい静止画像データとして画像ａ１，画像ａ３，画像ａ５が選択されるものとする。公開画像データの選択は、例えば、図３（ｂ）に示す画面上で、公開したい画像をマウスでクリックしてその画像にマーキング（図３では○印で示した）したり、逆に、公開したくない画像をマウスでクリックしたりすることで行う。
【００２０】
図３（ｂ）の画面上で公開画像データの選択が行われ（Ｓ２）、「次へ」ボタンがクリックされると、制御部３は、ユーザにより選択された公開画像データに公開を示す符号“１”を関連付け、画像フォルダＡ内の公開画像データ以外の静止画像データに非公開を示す符号“０”を関連付けた図４に示すような記録処理リストを作成する（Ｓ３）。制御部３は、図３（ｂ）に示す画面上でマウスによりクリックされた画像の生成元の静止画像データを、公開画像データとして認識し、それ以外の静止画像データをユーザが公開したくない非公開画像データとして認識して処理リストを作成する。又は、図３（ｂ）に示す画面上でマウスによりクリックされた画像の生成元の静止画像データを非公開画像データとして認識し、それ以外の静止画像データを公開画像データとして認識して処理リストを作成する。
【００２１】
次に、制御部３は、非公開画像データを暗号化するための暗号用パスワードの入力をユーザに要求し、ユーザによって入力された暗号用パスワードを取得し（Ｓ４）、バックアップ用の画像フォルダを記録部５に作成する。このバックアップ用の画像フォルダには、静止画像データを記録するための静止画フォルダと、動画再生可能な機器（例えばＤＶＤプレーヤ）で複数の静止画像データを再生することのできる形式の動画像データを記録するための動画フォルダとが含まれる。
【００２２】
次に、制御部３は、Ｓ１で選択された画像フォルダＡ内の静止画像データを１つ取得し（Ｓ５）、取得した静止画像データが公開すべきものか否かを、図４に示す記録処理リストを基に判定する（Ｓ６）。取得した静止画像データに符号“１”が関連付けられていた場合（Ｓ６：ＹＥＳ）、制御部３は、その静止画像データのコピーをバックアップ用の画像フォルダの静止画フォルダに記録する（Ｓ７）。
【００２３】
一方、取得した静止画像データに符号“０”が関連付けられていた場合（Ｓ６：ＮＯ）、制御部３は、その静止画像データのコピーを、Ｓ４で取得した暗号用パスワードによって暗号化し、暗号化した静止画像データをバックアップ用の画像フォルダの静止画フォルダに記録する（Ｓ８）。尚、暗号化した静止画像データは、その拡張子が例えばｊｐｅｇからｘｘｘに変更されるものとする。
【００２４】
制御部３は、画像フォルダＡに含まれる全ての静止画像データについてＳ６とＳ７又はＳ８の処理を行い、全ての静止画像データについて処理が終了すると（Ｓ９：ＮＯ）、静止画フォルダに記録した公開画像データａ１．ｊｐｅｇ，ａ３．ｊｐｅｇ，ａ５．ｊｐｅｇを用いて、該公開画像データａ１．ｊｐｅｇ，ａ３．ｊｐｅｇ，ａ５．ｊｐｅｇをＤＶＤプレーヤ等の動画再生可能な機器によりスライドショーで再生することのできる形式（例えばＭＰＥＧ等）の動画像データを生成する（Ｓ１０）。複数の静止画像データからスライドショー再生可能な形式の動画像データを生成する方法は、例えば特許文献１に記載の方法を採用することができる。制御部３は、動画像データに例えばａ１．ｍｐｅｇという名前を付けて、バックアップ用の画像フォルダの動画フォルダに記録する（Ｓ１１）。
【００２５】
図５は、記録部５に記録されたバックアップ用の画像フォルダのデータ構成を示す図である。
図５に示すように、静止画フォルダには、公開画像データａ１．ｊｐｅｇ，ａ３．ｊｐｅｇ，ａ５．ｊｐｅｇと、暗号化されている非公開画像データａ２．ｘｘｘ，ａ４．ｘｘｘとが混合して記録されている。又、動画フォルダには、静止画フォルダ内の公開画像データを用いて生成された動画像データａ１．ｍｐｅｇが記録されている。
【００２６】
Ｓ１１の処理後、制御部３は、図６に示すような画面を表示して、空の記録メディア（例えばＣＤ−ＲやＤＶＤ−Ｒ等の大容量のメディア）をメディアドライブ４に挿入するようユーザに要求する。空の記録メディアＭがメディアドライブ４に挿入されてＯＫボタンがクリックされると、制御部３は、メディアドライブ４を制御して、記録部５に作成したバックアップ用の画像フォルダを記録メディアＭに記録させる（Ｓ１２）。
【００２７】
記録メディアＭに記録された画像データを例えばＰＣで再生する場合、暗号用パスワードを知っているユーザは、バックアップ用の画像フォルダ内の全ての静止画像データと動画像データを再生することができるが、暗号用パスワードを知らない他者は、バックアップ用の画像フォルダ内の全ての静止画像データのうちの公開画像データと動画像データしか再生することができない。このように、本実施形態の画像データ記録システムによれば、必要な画像データを記録メディアにバックアップすることができると共に、バックアップした画像データに閲覧制限をかけることが可能である。従来では、公開画像データをバックアップしておくための記録メディアと、非公開画像データをバックアップしておくための記録メディアとの２つを作成する必要があったが、本実施形態によれば、１つの記録メディアに公開画像データと非公開画像データを混合させて記録しておくことができる。このため、画像データのバックアップにかかるコストを低く抑えることができると共に、記録メディアの管理が容易となる。
【００２８】
又、本実施形態によれば、静止画像データと併せてスライドショー形式の動画像データを記録メディアに記録しておくため、静止画像データを再生可能なＰＣ等の機器を所有していない人であっても、ＤＶＤプレーヤ等によって動画像データを再生してスライドショーで画像を確認することができ、画像を閲覧する際の利便性を向上させることができる。
【００２９】
尚、本実施形態では、画像データ記録装置１００がユーザの所有するＰＣとして説明したが、これはコンビニエンスストアや写真プリントを行う店舗等に設置された店頭端末であっても良い。この場合は、画像データ記録装置１００にユーザの所有する画像データを入力するためのインターフェースとして、例えばメモリカード用のメディアドライブを更に搭載しておき、デジタルカメラで撮影してメモリカードに記録された画像データを、このメディアドライブから画像データ記録装置１００の記録部５に取り込むようにすれば良い。
【００３０】
又、本実施形態で説明した処理は、静止画像データのみを含む画像フォルダのバックアップに限らず、デジタルカメラで撮影して得られた動画像データを含む画像フォルダのバックアップや、静止画像データと動画像データを含む画像フォルダのバックアップにも適用可能である。例えば、画像フォルダＡに動画像データが含まれており、この動画像データに符号“１”が関連付けられている場合は、Ｓ７において、この動画像データのコピーを静止画フォルダに記録し、符号“０”が関連付けられている場合は、Ｓ８において、この動画像データのコピーを暗号化して静止画フォルダに記録すれば良い。そして、Ｓ１０では、暗号化していない静止画像データと動画像データを用いて、静止画と動画がスライドショー形式で再生できるような動画像データを生成すれば良い。
【図面の簡単な説明】
【００３１】
【図１】本発明の実施形態を説明するための画像データ記録システムの概略構成を示す図
【図２】画像データ記録プログラムを実行した制御部の動作フローを示す図
【図３】画像データ記録プログラム実行時に表示装置に表示される画面の一例を示す図
【図４】記録処理リストの一例を示す図
【図５】記録部に記録されたバックアップ用の画像フォルダのデータ構成を示す図
【図６】記録メディアの挿入を要求する画面を示す図
【符号の説明】
【００３２】
１  ＲＡＭ
２  ＲＯＭ
３  制御部
４  メディアドライブ
５  記録部
１００  画像データ記録装置
２００  入力装置
３００  表示装置
Ｍ  記録メディア
【図１】
2006277881.tif 000003
【図２】
2006277881.tif 000004
【図３】
2006277881.tif 000005
【図４】
2006277881.tif 000006
【図５】
2006277881.tif 000007
【図６】
2006277881.tif 000008